【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
遊技を制御する遊技制御手段と、
遊技領域に設けられ、所定条件の成立に基づき補助遊技を実行し、該補助遊技で特別結果が導出されることに基づき、通常状態よりも入賞が容易な開放状態となる始動入賞装置と、
前記始動入賞装置への入賞に基づき変動表示ゲームを実行し、該変動表示ゲームで特別結果態様が導出されることに基づき、遊技者に有利な特別遊技状態を発生可能な遊技機において、
前記遊技制御手段は、
前記特別遊技状態の終了後に、前記特別結果態様の種類に基づいて、
通常遊技状態と、
前記通常遊技状態よりも前記始動入賞装置が前記開放状態となりやすい時短遊技状態と、
前記通常遊技状態よりも前記始動入賞装置が前記開放状態となりやすいとともに、変動表示ゲームで特別結果態様が導出される確率が高い高確率遊技状態と、の何れかの遊技状態を選択するように構成され、
該遊技状態を判定する判定手段と、
前記判定手段による判定結果に基づき前記遊技状態を報知する報知手段と、を備え、
前記報知手段は、
前記時短遊技状態もしくは前記高確率遊技状態であることを報知する第１報知手段と、
前記高確率遊技状態であることを報知する第２報知手段を備え、
前記第２報知手段が電源投入時にのみ報知を行うようにしたことを特徴とする遊技機。
【請求項２】
前記第２報知手段は、
前記高確率遊技状態であることを報知した場合に、当該高確率遊技状態が終了することに基づき、当該報知を終了することを特徴とする請求項１に記載の遊技機。
【手続補正２】
【補正対象書類名】明細書
【補正対象項目名】０００１
【補正方法】変更
【補正の内容】
【０００１】
本発明は、遊技を制御する遊技制御手段と、補助遊技で特別結果が導出されることに基づき、通常状態よりも入賞が容易な開放状態となる始動入賞装置と、を備え、始動入賞装置への入賞に基づき実行される変動表示ゲームで特別結果態様が導出されることに基づき、遊技者に有利な特別遊技状態を発生可能な遊技機に関する。
【手続補正３】
【補正対象書類名】明細書
【補正対象項目名】０００５
【補正方法】変更
【補正の内容】
【０００５】
本発明の目的は、遊技を制御する遊技制御手段と、補助遊技で特別結果が導出されることに基づき、通常状態よりも入賞が容易な開放状態となる始動入賞装置と、を備え、始動入賞装置への入賞に基づき実行される変動表示ゲームで特別結果態様が導出されることに基づき、遊技者に有利な特別遊技状態を発生可能な遊技機において、遊技者に高確率状態における遊技中であることを明確に報知しなくても、演出、装飾効果を向上させ、規則上も問題の生じないようにすることである。
【手続補正４】
【補正対象書類名】明細書
【補正対象項目名】０００６
【補正方法】変更
【補正の内容】
【０００６】
以上の課題を解決するため、請求項１に記載の発明は、
遊技を制御する遊技制御手段と、
遊技領域に設けられ、所定条件の成立に基づき補助遊技を実行し、該補助遊技で特別結果が導出されることに基づき、通常状態よりも入賞が容易な開放状態となる始動入賞装置と、を備え、
前記始動入賞装置への入賞に基づき変動表示ゲームを実行し、該変動表示ゲームで特別結果態様が導出されることに基づき、遊技者に有利な特別遊技状態を発生可能な遊技機において、
前記遊技制御手段は、
前記特別遊技状態の終了後に、前記特別結果態様の種類に基づいて、
通常遊技状態と、
前記通常遊技状態よりも前記始動入賞装置が前記開放状態となりやすい時短遊技状態と、
前記通常遊技状態よりも前記始動入賞装置が前記開放状態となりやすいとともに、変動表示ゲームで特別結果態様が導出される確率が高い高確率遊技状態と、の何れかの遊技状態を選択するように構成され、
該遊技状態を判定する判定手段と、
前記判定手段による判定結果に基づき前記遊技状態を報知する報知手段と、を備え、
前記報知手段は、
前記時短遊技状態もしくは前記高確率遊技状態であることを報知する第１報知手段と、
前記高確率遊技状態であることを報知する第２報知手段を備え、
前記第２報知手段が電源投入時にのみ報知を行うようにしたことを特徴とする。
【手続補正５】
【補正対象書類名】明細書
【補正対象項目名】０００８
【補正方法】変更
【補正の内容】
【０００８】
すなわち、遊技中は第１報知手段により時短遊技状態もしくは高確率遊技状態であることが報知されるのみであるので、時短状態であるのか、高確率状態であるのかがわからず、遊技者に期待感を持って遊技を行わせることができるとともに、演出内容を報知に絡めて行うことができる。よって、遊技者に高確率状態における遊技中であることを明確に報知しなくても、演出、装飾効果を向上させることができ、遊技の興趣を向上させることができる。また、高確率遊技状態であることを報知する第２報知手段が電源投入時に報知を行うので、規則上問題がない。
請求項２に記載の発明は、請求項１に記載の遊技機であって、前記第２報知手段は、前記高確率遊技状態であることを報知した場合に、当該高確率遊技状態が終了することに基づき、当該報知を終了することを特徴とする。
【手続補正６】
【補正対象書類名】明細書
【補正対象項目名】００２０
【補正方法】変更
【補正の内容】
【００２０】
遊技領域１ａ内には、普図始動ゲート４と、普図変動表示ゲームの未処理回数を表示する普図記憶表示器６、普図の変動表示ゲームを表示する普図表示器５（図２に図示）が設けられている。また、遊技領域１ａ内には、第１始動入賞口１３（入賞装置）と、第２始動入賞口をなす普通変動入賞装置７（入賞装置）と、特図変動表示ゲームの未処理回数を点灯表示する特図記憶表示器、特図変動表示ゲームを表示する特図表示器９が設けられている。なお、普図記憶表示器、普図表示器５、特図記憶表示器、特図表示器９は、遊技状態を表す遊技状態表示ＬＥＤ１から５と併せて、セグメントＬＥＤ８として一体に設けられている。
【手続補正７】
【補正対象書類名】明細書
【補正対象項目名】００２２
【補正方法】変更
【補正の内容】
【００２２】
さらに遊技領域１ａには、上端側が手前側に倒れる方向に回動して開放可能になっているアタッカ形式の開閉扉１０ａを有し、特図変動表示ゲームの結果如何によって大入賞口を閉じた状態（遊技者にとって不利な状態）から開放状態（遊技者にとって有利な状態）に変換する特別変動入賞装置１０、入賞口などに入賞しなかった遊技球を回収するアウト穴１１が設けられている。この他、遊技領域１ａには、一般入賞口１２，１２，…、打球方向変換部材としての風車１４、多数の障害釘（図示略）などが配設されている。
【手続補正８】
【補正対象書類名】明細書
【補正対象項目名】００２７
【補正方法】変更
【補正の内容】
【００２７】
この普通変動入賞装置７と第１始動入賞口１３は、特図変動表示ゲームの始動入賞口も兼ねている。すなわち、普通変動入賞装置７と第１始動入賞口１３の内部（入賞領域）に備えられた始動口ＳＷ７ｄ（図２に図示）によって遊技球を検出することに基づき、特図変動表示ゲームを開始する始動権利が発生するようになっている。
【手続補正９】
【補正対象書類名】明細書
【補正対象項目名】００３０
【補正方法】変更
【補正の内容】
【００３０】
特図（特別図柄、識別情報）変動表示ゲームは、遊技領域１ａ内に設けられた特図表示器９で実行されるようになっており、複数の識別情報を変動表示したのち、所定の結果態様を停止表示することで行われる。また、画像表示装置４１にて複数種類の識別情報（例えば、数字、記号、キャラクタ図柄など）を変動表示させる特図変動表示ゲームに対応した飾り特図変動表示ゲームが実行されるようになっている。そして、この特図変動表示ゲームの結果として、特図表示器９の表示態様が特別結果態様（たとえば「７」）となった場合には、大当たりとなって特別遊技状態（いわゆる、大当たり状態）となる。また、これに対応して画像表示装置４１の表示態様も特別結果態様（例えば、「７，７，７」等のゾロ目数字の何れか）となる。なお、遊技機に特図表示器９を備えずに、画像表示装置４１のみで特図変動表示ゲームを実行するようにしても良い。
【手続補正１０】
【補正対象書類名】明細書
【補正対象項目名】００６０
【補正方法】変更
【補正の内容】
【００６０】
以上のことから、遊技を制御する遊技制御手段（遊技制御装置３０）と、遊技領域１ａに設けられ、所定条件の成立に基づき補助遊技（普図変動表示ゲーム）を実行し、該補助遊技で特別結果が導出されることに基づき、通常状態よりも入賞が容易な開放状態となる始動入賞装置７と、を備え、始動入賞装置７への入賞に基づき変動表示ゲーム（特図変動表示ゲーム）を実行し、該変動表示ゲームで特別結果態様が導出されることに基づき、遊技者に有利な特別遊技状態を発生可能な遊技機１００において、遊技制御手段は、特別遊技状態の終了後に、特別結果態様の種類に基づいて、通常遊技状態と、通常遊技状態よりも始動入賞装置７が開放状態となりやすい時短遊技状態と、通常遊技状態よりも始動入賞装置７が開放状態となりやすいとともに、変動表示ゲームで特別結果態様が導出される確率が高い高確率遊技状態と、の何れかの遊技状態を選択するように構成され、該遊技状態を判定する判定手段（遊技制御装置３０）と、判定手段による判定結果に基づき遊技状態を報知する報知手段（遊技制御装置３０、セグメントＬＥＤ８）と、を備え、報知手段は、時短遊技状態もしくは高確率遊技状態であることを報知する第１報知手段（遊技状態表示ＬＥＤ３）と、高確率遊技状態であることを報知する第２報知手段（遊技状態表示ＬＥＤ４）を備え、第２報知手段が電源投入時にのみ報知を行うようにしたこととなる。
【手続補正１１】
【補正対象書類名】明細書
【補正対象項目名】０３４５
【補正方法】変更
【補正の内容】
【０３４５】
以上のような遊技機１００は、遊技を制御する遊技制御手段（遊技制御装置３０）と、
遊技領域１ａに設けられ、所定条件の成立に基づき補助遊技を実行し、該補助遊技で特別結果が導出されることに基づき、通常状態よりも入賞が容易な開放状態となる始動入賞装置７と、を備え、始動入賞装置７への入賞に基づき変動表示ゲームを実行し、該変動表示ゲームで特別結果態様が導出されることに基づき、遊技者に有利な特別遊技状態を発生可能な遊技機１００であって、遊技制御手段は、特別遊技状態の終了後に、特別結果態様の種類に基づいて、通常遊技状態と、通常遊技状態よりも始動入賞装置７が開放状態となりやすい時短遊技状態と、通常遊技状態よりも始動入賞装置７が開放状態となりやすいとともに、変動表示ゲームで特別結果態様が導出される確率が高い高確率遊技状態と、の何れかの遊技状態を選択するように構成され、該遊技状態を判定する判定手段（遊技制御装置３０）と、判定手段による判定結果に基づき遊技状態を報知する報知手段（遊技制御装置３０、セグメントＬＥＤ８）と、を備え、報知手段は、時短遊技状態もしくは高確率遊技状態であることを報知する第１報知手段（遊技状態報知ＬＥＤ３）と、高確率遊技状態であることを報知する第２報知手段（遊技状態報知ＬＥＤ４）を備え、第２報知手段が電源投入時にのみ報知を行うようにしている。